(57)【要約】【課題】多様な記録媒体を確実に識別し、特定の記録媒体に対して所定の処理を実行する制御プログラム及び制御装置の提供。【解決手段】コンピュータを、記録媒体の論理アドレス領域外に予め書き込まれた複数のコードの中から選択される２以上のコードの各々に記述された情報（製造者を特定する第１の情報及び記録特性に関連する第２の情報など）に基づいて記録媒体を識別する記録媒体識別手段１３、該記録媒体が特定の記録媒体であると認識したことを条件として、データ読み取り手段１５に画像データを読み取らせる制御、データ生成手段１６に家電機器用データを生成させる制御、又は、データ書き込み手段１７に読み取った画像データ又は生成したデータを記録媒体に書き込ませる制御を行う制御手段１４として機能させる。これにより、特定の記録媒体を確実に識別して所定の処理を実行させることができる。【選択図】図７
2006107610.tif 000002
【特許請求の範囲】
【請求項１】
コンピュータを、
少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段、
前記記録媒体が特定の記録媒体であると認識したことを条件として、画像データに関する特定の処理を制御する制御手段、として機能させることを特徴とする制御プログラム。
【請求項２】
前記記録媒体の前記論理アドレス領域外には予め複数のコードが書き込まれており、
前記第１の情報及び前記第２の情報は、各々、異なるコードに記述された情報であることを特徴とする請求項１記載の制御プログラム。
【請求項３】
前記第１の情報は前記記録媒体の製造者を特定する情報であり、前記第２の情報は前記記録媒体の記録特性に関連する情報であることを特徴とする請求項１又は２に記載の制御プログラム。
【請求項４】
前記記録特性に関連する情報は、色素の種類に関する情報、色素層の厚さに関する情報、反射層の厚さに関する情報、記録パワーに関する情報の中から選択される１以上の情報を含むことを特徴とする請求項３記載の制御プログラム。
【請求項５】
前記特定の処理とは、データ読み取り手段に前記画像データを読み取らせる処理、データ生成手段に前記画像データに基づいて特定種類のデータを生成させる処理、データ書き込み手段に少なくとも前記画像データを前記記録媒体に書き込ませる処理の中から選択される１以上の処理を含むことを特徴とする請求項１乃至４のいずれか一に記載の制御プログラム。
【請求項６】
前記特定種類のデータは、Ｖｉｄｅｏ−ＣＤ形式のデータであることを特徴とする請求項５記載の制御プログラム。
【請求項７】
前記記録媒体は、ＣＤ−Ｒ又はＣＤ−ＲＷであることを特徴とする請求項１乃至６のいずれか一に記載の制御プログラム。
【請求項８】
画像データを読み取るデータ読み取り手段と、
少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、
前記記録媒体が特定の記録媒体であると認識したことを条件として、前記データ読み取り手段に前記画像データを読み取らせる制御手段と、を少なくとも備えることを特徴とする制御装置。
【請求項９】
読み取った画像データに基づいて特定種類のデータを生成するデータ生成手段と、
少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、
前記記録媒体が特定の記録媒体であると認識したことを条件として、前記データ生成手段に前記画像データに基づいて前記特定種類のデータを生成させる制御手段と、を少なくとも備えることを特徴とする制御装置。
【請求項１０】
前記特定種類のデータは、Ｖｉｄｅｏ−ＣＤ形式のデータであることを特徴とする請求項９記載の制御装置。
【請求項１１】
少なくとも読み取った画像データを記録媒体に書き込むデータ書き込み手段と、
少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、
前記記録媒体が特定の記録媒体であると認識したことを条件として、前記データ書き込み手段に少なくとも前記画像データを記録媒体に書き込ませる制御手段と、を少なくとも備えることを特徴とする制御装置。
【請求項１２】
前記記録媒体の前記論理アドレス領域外には予め複数のコードが書き込まれており、
前記第１の情報及び前記第２の情報は、各々、異なるコードに記述された情報であることを特徴とする請求項８乃至１１のいずれか一に記載の制御装置。
【請求項１３】
前記第１の情報は前記記録媒体の製造者を特定する情報であり、前記第２の情報は前記記録媒体の記録特性に関連する情報であることを特徴とする請求項８乃至１２のいずれか一に記載の制御装置。
【請求項１４】
前記記録特性に関連する情報は、色素の種類に関する情報、色素層の厚さに関する情報、反射層の厚さに関する情報、記録パワーに関する情報の中から選択される１以上の情報を含むことを特徴とする請求項１３記載の制御装置。
【請求項１５】
前記記録媒体は、ＣＤ−Ｒ又はＣＤ−ＲＷであることを特徴とする請求項８乃至１４のいずれか一に記載の制御装置。
【発明の詳細な説明】
【技術分野】
【０００１】
本発明は、制御プログラム及び制御装置に関し、特に、特定の記録媒体に対して各種処理を実行する制御プログラム及び制御装置に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成し、該動画データからＤＶＤプレーヤやＤＶＤレコーダ、ＨＤＤレコーダ、ゲーム機などの家電機器で再生可能なデータ（以下、家電機器用データと呼ぶ。）を生成し、該データを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データをコンピュータ機器のハードディスクや記録媒体に書き込むこともできる。
【０００６】
【特許文献１】特開平１１−８８１７号公報（第３−４頁、第１図）
【発明の開示】
【発明が解決しようとする課題】
【０００７】
上記サービスを利用して記録媒体に画像データを書き込む場合、画像データのディレクトリ構造やファイル形式、画像データと共に記録されるデータやアプリケーションの種類などのルールはサービス提供者によって様々であり、複数の記録媒体に記録された画像データを電子アルバムとして一括して管理することを考慮すると、各々の記録媒体の画像データは同じルールに従って記録されていることが好ましい。そこで、記録媒体に予め識別情報を記録しておき、制御装置や制御プログラム側でこの識別情報を参照して記録媒体を特定し、特定の記録媒体に対して画像データを記録するなどの制御を行うこともできる。
【０００８】
しかしながら、画像データなどのユーザデータが書き込まれる領域（後述する論理アドレス領域）にサービス提供者が任意に設定して書き込んだ情報を識別情報として用いた場合、第三者は汎用的なプログラムを用いて該情報を簡単に解読することができ、この識別情報を新たな記録媒体に書き込むことにより、特定の記録媒体を簡単に複製することができるという問題がある。
【０００９】
そこで、ユーザがアクセスできない領域（後述する論理アドレス領域外）に書き込まれた情報（例えば、記録媒体の製造者を特定する情報など）を識別情報として用いることもできるが、論理アドレス領域外に書き込まれた情報であっても、その構成が単純であれば解読されてしまう恐れがあると共に、識別情報の設定範囲が狭く汎用性に欠けるという問題がある。また、識別情報として製造者を特定する情報のみを用いた場合、その製造者が製造した記録媒体であれば特定のサービス提供者以外の者が利用した場合でも特定の記録媒体として識別されてしまい、特定のサービス提供者が提供する記録媒体を確実に識別することができないという問題も生じる。
【００１０】
本発明は、上記問題点に鑑みてなされたものであって、その主たる目的は、記録媒体を確実に識別し、特定の記録媒体に対してのみ特定の処理を実行することができる制御プログラム及び制御装置を提供することにある。
【課題を解決するための手段】
【００１１】
上記目的を達成するため、本発明の制御プログラムは、コンピュータを、少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段、前記記録媒体が特定の記録媒体であると認識したことを条件として、画像データに関する特定の処理を制御する制御手段、として機能させるものである。
【００１２】
本発明においては、前記記録媒体の前記論理アドレス領域外には予め複数のコードが書き込まれており、前記第１の情報及び前記第２の情報は、各々、異なるコードに記述された情報であることが好ましい。
【００１３】
また、本発明においては、前記第１の情報は前記記録媒体の製造者を特定する情報であり、前記第２の情報は前記記録媒体の記録特性に関連する情報であることが好ましく、前記記録特性に関連する情報は、色素の種類に関する情報、色素層の厚さに関する情報、反射層の厚さに関する情報、記録パワーに関する情報の中から選択される１以上の情報を含む構成とすることができる。
【００１４】
また、本発明においては、前記特定の処理とは、データ読み取り手段に前記画像データを読み取らせる処理、データ生成手段に前記画像データに基づいて特定種類のデータを生成させる処理、データ書き込み手段に少なくとも前記画像データを前記記録媒体に書き込ませる処理の中から選択される１以上の処理を含む構成とすることができる。
【００１５】
また、本発明においては、前記特定種類のデータは、Ｖｉｄｅｏ−ＣＤ形式のデータであり、前記記録媒体は、ＣＤ−Ｒ又はＣＤ−ＲＷであることが好ましい。
【００１６】
また、本発明の制御装置は、画像データを読み取るデータ読み取り手段と、少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、前記記録媒体が特定の記録媒体であると認識したことを条件として、前記データ読み取り手段に前記画像データを読み取らせる制御手段と、を少なくとも備えるものである。
【００１７】
また、本発明の制御装置は、読み取った画像データに基づいて特定種類のデータを生成するデータ生成手段と、少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、前記記録媒体が特定の記録媒体であると認識したことを条件として、前記データ生成手段に前記画像データに基づいて前記特定種類のデータを生成させる制御手段と、を少なくとも備えるものである。
【００１８】
また、本発明の制御装置は、少なくとも読み取った画像データを記録媒体に書き込むデータ書き込み手段と、少なくとも、記録媒体の論理アドレス領域外に書き込まれた第１の情報と、前記論理アドレス領域外であって、前記第１の情報と物理的に連続していない領域に書き込まれた第２の情報とに基づいて、該記録媒体を識別する記録媒体識別手段と、前記記録媒体が特定の記録媒体であると認識したことを条件として、前記データ書き込み手段に少なくとも前記画像データを記録媒体に書き込ませる制御手段と、を少なくとも備えるものである。
【００１９】
このように、本発明の構成によれば、記録媒体の論理アドレス領域外の物理的に連続していない領域に書き込まれた２以上の情報に基づいて記録媒体が識別されるため、特定の記録媒体を確実に識別し、特定の記録媒体に対してのみ特定の処理を実行することができる。
【発明の効果】
【００２０】
本発明の制御プログラム及び制御装置によれば、特定の記録媒体を確実に識別することができ、特定の記録媒体に対してのみ特定の処理を実行することができる。
【００２１】
その理由は、記録媒体の論理アドレス領域外の物理的に連続していない領域に書き込まれた２種類以上の情報（論理アドレス領域外に書き込まれた複数のコードの中から選択される２以上のコードの各々に記述された情報、例えば、記録媒体の製造者を特定する第１の情報及び記録媒体の記録特性に関連する第２の情報など）で識別情報を構成し、該識別情報を参照して特定の記録媒体を識別し、特定の記録媒体と認識したことを条件として画像データの読み取りや家電機器用データの生成、画像データや家電機器用データの書き込み等の制御が行われるからである。
【発明を実施するための最良の形態】
【００２２】
本発明の制御プログラムは、その好ましい一実施の形態において、コンピュータを、記録媒体の論理アドレス領域外に書き込まれた複数のコードの中から選択される２以上のコードの各々に記述された情報（例えば、所定のコードに記述された記録媒体の製造者を特定する第１の情報と、所定のコードと物理的に連続していない他のコードに記述された記録媒体の記録特性に関連する第２の情報など）に基づいて記録媒体を識別する記録媒体識別手段、該記録媒体が特定の記録媒体であると認識したことを条件として、データ読み取り手段に画像データを読み取らせる制御、又は、データ生成手段に家電機器用データを生成させる制御、又は、データ書き込み手段に読み取った画像データ又は生成したデータを記録媒体に書き込ませる制御などの画像データに関する処理の制御を行う制御手段として機能させる。これにより、識別情報の設定範囲を広げて汎用性を向上させつつ識別情報の解読を困難にして特定の記録媒体を確実に識別することができ、特定の記録媒体に対してのみ特定の処理を実行することができる。
【実施例】
【００２３】
上記実施形態について詳細に説明すべく、本発明の一実施例に係る制御プログラム及び制御装置について、図１乃至図１４を参照して説明する。図１は、本実施例に係る制御装置の構成を模式的に示す図であり、図２乃至図６は、そのバリエーションを示す図、図７は、制御装置の手段を示すブロック図である。また、図８乃至図１０は、制御装置を用いた画像データの処理手順を示すフローチャート図であり、図１１は、制御装置の表示手段に表示される画面の構成例を示す図である。また、図１２は、記録媒体におけるデータの記録構造を示す図、図１３は、記録媒体におけるデータの記録領域を示す図、図１４は、記録媒体（ＣＤ−Ｒ）の構造を模式的に示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２４】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部等のデータ読み取り手段と、記録媒体９を装填する記録媒体装填部４などのデータ書き込み手段と、ボタン、キーボード、マウス等の操作手段６及びＬＣＤ、ＣＲＴ等の表示手段５とを備えている。
【００２５】
また、制御装置１に備える主な手段をブロック図で示すと図７のようになり、記録媒体９の物理的に連続していない領域に予め書き込まれた複数の情報（本実施例では第１の情報及び第２の情報）を読み出し、第１の情報と第２の情報とに基づいて記録媒体９を識別する記録媒体識別手段１３と、メディア装填部２や機器接続部３、ネットワーク接続部などを用いて画像データ（静止画像データや動画データ、画像情報を含むデータなどを総称して画像データと呼ぶ。）を読み取るデータ読み取り手段１５と、画像データに基づいて特定のファイル形式（例えば、ＭＰＥＧ１形式など）の動画データを生成し、該動画データに基づいてＤＶＤプレーヤやＤＶＤレコーダ、ＨＤＤレコーダ、ゲーム機などの家電機器で利用可能なファイル形式（例えば、Ｖｉｄｅｏ−ＣＤ形式など）の家電機器用データを生成したり、画像データのデータサイズを縮小したサムネイル画像データやスクリーンネイル画像データなどの縮小画像データを生成するデータ生成手段１６と、記録媒体装填部４などを用いて、読み取った画像データや生成したデータを記録媒体９に記録するデータ書き込み手段１７と、該記録媒体が特定の識別情報であると認識したことを条件として、データ読み取り手段１５に画像データを読み取らせたり、データ生成手段１６に家電機器用データや縮小画像データを生成させたり、データ書き込み手段１７に画像データや生成したデータを記録媒体９に書き込ませるなどの制御を行う制御手段１４と、画像データの表示などを行う表示手段５と、画像データの選択などを行う操作手段６とを備えている。
【００２６】
なお、上記各手段は制御装置１にハードウェアとして構成されていてもよいが、コンピュータを、少なくとも、記録媒体識別手段１３、制御手段１４として機能させる制御プログラムとして構成し、該制御プログラムを制御装置１にインストールして実行する構成とすることができる。また、図１では制御装置１としてパーソナルコンピュータなどのコンピュータ機器を示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２７】
上記構成の制御装置１（制御プログラム）を用いて、特定の記録媒体に対して各種処理を実行する手順について、図８のフローチャート図を参照して説明する。
【００２８】
まず、ステップＳ１０１で、制御装置１の記録媒体装填部４にＣＤ−Ｒ／ＲＷなどの記録媒体９を装填すると、ステップＳ１０２で、記録媒体識別手段１３は、記録媒体９の所定の領域から識別情報を読み取る。
【００２９】
ここで、一般的な記録媒体９（ＣＤ−Ｒ）の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。
【００３０】
この案内溝変調（ＡＴＩＰ）による情報として、６種類のコードがあり、その中の１つのコードの中に製造者を特定する情報（いわゆるＭコード）が記述されていることが知られている。この案内溝変調（ＡＴＩＰ）は製造時にしか作成できないため、ユーザレベルでのコピーを防止することができることから、上記製造者を特定する情報を識別情報として利用することが可能である。しかしながら、製造者を特定する情報のみでは同じ製造者が製造した記録媒体を他のサービス提供者が使用した場合に不正な使用であると判別することができないと共に、特殊なプログラムを用いて製造者を特定する情報が解読された場合に他の製造者が記録媒体の製造段階でこの情報を案内溝変調情報として書き込んでしまう恐れがあり、また、製造者を特定する情報のみでは識別情報の使い分けができないという問題があった。
【００３１】
また、識別情報として上記製造者特定情報に加えて、同じコード内の他の情報（例えば、記録媒体の規格を特定する情報、いわゆるＴコード）を用いる方法も考えられるが、同じコード内の情報は物理的に連続して書き込まれているために解読されやすく、また、記録媒体の規格を特定する情報は設定範囲が狭いために汎用性に乏しい。また、上記６種類のコードに記述された情報の中には、例えば、ＣＤ−ＲとＣＤ−ＲＷとを区別するための情報やディスク速度に関する情報などのように記録媒体９の動作に影響を及ぼす情報もあることから、どの情報を識別情報として利用するかが技術的に重要な要素となる。
【００３２】
そこで、本発明では、６種類のコードが物理的に連続していない（すなわち、各々のコードの間に他の情報が書き込まれている）ことを利用して、２以上のコードの各々に記述された２以上の情報（ここでは、所定のコードに記述された第１の情報（例えば、製造者を特定する情報）と、第１の情報が記述されたコードとは異なるコードに記述された第２の情報（例えば、記録媒体９に用いる色素の種類や色素層の厚さ、反射層の厚さ、記録パワーなどの記録特性に関連する情報）とで識別情報を構成することを特徴としている。
【００３３】
そして、ステップＳ１０３で、読み取った第１の情報と第２の情報とを参照して特定の記録媒体９を識別し、装填された記録媒体９が特定の記録媒体でない場合は、該記録媒体９を排出して処理を終了又はステップＳ１０１に戻り、装填された記録媒体９が特定の記録媒体である場合は制御手段１４によって以下の制御を行う。以下、制御手段１４による制御の一例について具体的に説明する。なお、以下の説明において表示手段５に表示される画面は例示であり、画面の構成及び表示順などは特に限定されず、必ずしも全ての画面が表示される必要はない。
【００３４】
まず、装填された記録媒体９が特定の記録媒体であると判断されると、例えば、表示手段５にメニュー画面が表示され、操作手段６を操作してメニュー画面の中からアルバムの作成を指示すると、表示手段５に画像データを記録媒体９に記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００３５】
次に、ステップＳ１０４で、メッセージの指示に従って、例えば制御装置１のメディア装填部２にメディア８を装填、又は機器接続部３にデジタルカメラ７を接続すると、ステップＳ１０５で、制御手段１４はデータ読み取り手段１５を用いて、メディア８やデジタルカメラ７などから画像データを読み取る。この画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００３６】
そして、画像データの読み取りが終了すると、表示手段５に、例えば図１１に示すような画像選択画面１８が表示される。この画像選択画面１８には、読み取った画像データに基づく画像を一覧表示する一覧表示欄１９と、その中から選択した画像を拡大表示する拡大表示欄２０と、作業を選択する作業メニュー欄２１とが設けられており、一覧表示欄２０で選択した画像を拡大表示欄２０で回転するなどして画像データを選択した後、必要に応じて、作業メニュー欄２１を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００３７】
次に、必要に応じて、ステップＳ１０６で、制御手段１４はデータ生成手段１６を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３８】
次に、画像データに基づく画像をスライドショーとして表示させるための家電機器用データを生成する場合は、必要に応じて、ステップＳ１０７で、制御手段１４はデータ生成手段１６を用いて、読み取った画像データに基づいて動画データ（例えば、ＭＰＥＧ１形式の動画データ）を生成（エンコード）し、生成された動画データに基づいて、ＤＶＤプレーヤやＤＶＤレコーダ、ＨＤＤレコーダ、ゲーム機などの家電機器で再生可能な形式の家電機器用データ（例えば、Ｖｉｄｅｏ−ＣＤ形式のデータ）を生成（オーサリング）する。なお、画像データから動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３９】
次に、記録媒体９に読み取った画像データや生成したデータを記録するが、その際、家電機器ではデータを読み込むことができる記録領域が限定されるため、ステップＳ１０８で、制御手段１４はデータ書き込み手段１５を用いて、家電機器用データを記録媒体９の論理アドレス領域の内周側に書き込む。
【００４０】
次に、必要に応じてセッションをクローズした後、ステップＳ１０９で、制御手段１４はデータ書き込み手段１５を用いて、読み取ったオリジナル画像データや、必要に応じてサムネイル画像データやスクリーンネイル画像データなどの縮小画像データ、スライドショープログラムなどのアプリケーション、スライドショーの設定ファイル、情報ファイルなど（以下、これらを総称してコンピュータ機器用データと呼ぶ。）を記録媒体９の先に記録した家電機器用データの外側に書き込んで一連の処理を終了する。
【００４１】
上記手順で作成された記録媒体９には、図１３に示すように各種情報が記録され、ディスク型記録媒体９の最も内側の論理アドレス領域外には、物理的に連続していない領域に書き込まれた第１の情報と第２の情報とを含む識別情報が記録されており、その外側に位置する論理アドレス領域の内周側には家電機器用データが記録され、更にその外側の領域にはコンピュータ機器データが記録される。
【００４２】
また、上記手順で作成された記録媒体９のディレクトリ構造は、例えば、図１２に示すようになり、”PS_Roll”フォルダ内の元の画像データやサムネイル画像データ、スクリーンネイル画像データ、”APPL”フォルダ内のスライドショープログラムやスライドショーの設定ファイル、記録媒体９に関する各種情報が記述された特定の情報ファイル、自動起動ファイルなどでコンピュータ機器用データが構成され、”VCD”フォルダ内の画像データをＶｉｄｅｏ−ＣＤ形式として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成される。
【００４３】
なお、画像データのディレクトリ構造は任意であるが、画像データをコンピュータ機器などにバックアップした場合における管理を容易にするために、例えば、図１２に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４４】
上記図８のフローは、記録媒体装填部４に装填された記録媒体９が特定の記録媒体であることを条件として画像データの読み込み以降の各処理を制御する構成であるが、記録媒体９の識別のタイミングは図８に構成に限定されず、画像データの読み込み後に記録媒体９を識別してその後の処理を制御することもできる。その場合の手順について図９のフローチャート図を参照して説明する。
【００４５】
まず、制御装置１を起動すると、例えば、表示手段５にメニュー画面が表示され、操作手段６を操作してアルバムの作成を指示すると、表示手段５に画像データを記録媒体９に記録するまでの手順が表示された画面や画像データの読み取り先を選択する画面が表示される。そして、所望の読み取り先を選択して、ステップＳ２０１で制御装置１のメディア装填部２にメディア８を装填、又は機器接続部３にデジタルカメラ７を接続すると、ステップＳ２０２で、データ読み取り手段１５は、メディア８やデジタルカメラ７などから画像データを読み取る。
【００４６】
次に、ステップＳ２０３で、制御装置１の記録媒体装填部４にＣＤ−Ｒ／ＲＷなどの記録媒体９を装填すると、ステップＳ２０４で、記録媒体識別手段１３は、記録媒体９の論理アドレス領域外から第１の情報（例えば、製造者特定情報）と、第２の情報（例えば、記録特性に関連する情報）とを読み取る。そして、ステップＳ２０５で、読み取った第１の情報と第２の情報とを参照して特定の記録媒体９を識別し、特定の記録媒体９であると判断した場合、制御手段１４はデータ生成手段１６を用いて、ステップＳ２０６で縮小画像データを生成したり、ステップＳ２０７で家電機器用データを生成するなどの処理を行い、その後、制御手段１４はデータ書き込み手段１７を用いて、ステップＳ２０８で記録媒体９の内周側に家電機器用データを書き込み、その後必要に応じてセッションをクローズした後、ステップＳ２０９で家電機器用データの外周側にコンピュータ機器用データを書き込む。
【００４７】
また、上記図９のフローは、記録媒体装填部４に装填された記録媒体９が特定の記録媒体であることを条件として家電機器用データの生成以降の処理を制御する構成であるが、家電機器用データの生成後に記録媒体９を識別してその後の処理を制御することもできる。その場合の手順について図１０のフローチャート図を参照して説明する。
【００４８】
まず、図９のフローと同様に、制御装置１を起動すると、例えば、表示手段５にメニュー画面が表示され、操作手段６を操作してアルバムの作成を指示すると、表示手段５に画像データを記録するまでの手順が表示された画面や画像データの読み取り先を選択する画面が表示される。そして、所望の読み取り先を選択して、ステップＳ３０１で制御装置１のメディア装填部２にメディア８を装填、又は機器接続部３にデジタルカメラ７を接続すると、ステップＳ３０２で、データ読み取り手段１５は、メディア８やデジタルカメラ７などから画像データを読み取る。
【００４９】
次に、必要に応じて、データ生成手段１６を用いて、ステップＳ３０３で縮小画像データを生成したり、ステップＳ３０４で家電機器用データを生成するなどの処理を行う。その後、ステップＳ３０５で、制御装置１の記録媒体装填部４にＣＤ−Ｒ／ＲＷなどの記録媒体９を装填すると、ステップＳ３０６で、記録媒体識別手段１３は、記録媒体９の論理アドレス領域外から第１の情報（例えば、製造者特定情報）と、第２の情報（例えば、記録特性に関連する情報）とを読み取り、ステップＳ３０７で、読み取った第１の情報と第２の情報とを参照して特定の記録媒体９を識別し、特定の記録媒体９であると判断した場合は、制御手段１４はデータ書き込み手段１７を用いて、ステップＳ３０８で、記録媒体９の内周側に家電機器用データを書き込み、その後必要に応じてセッションをクローズした後、ステップＳ３０９でその外側にコンピュータ機器用データを書き込む。
【００５０】
このように、記録媒体９の論理アドレス領域外の物理的に連続していない領域に書き込まれた複数のコードの内、所定のコードに記述された第１の情報（例えば、製造者を特定する情報）と、他のコードに記述された第２の情報（例えば、記録特性に関連する情報）とを識別情報として利用し、制御装置１又は制御プログラムでは、記録媒体９から第１の情報と第２の情報とを参照して特定の記録媒体９を識別し、特定の記録媒体９であると判断されたことを条件として、画像データを読み取る処理や、読み取った画像データから家電機器用データを生成する処理、読み取った画像データや生成した家電機器用データを記録媒体９に書き込む処理などを制御する。これにより、識別情報の設定範囲を広げて汎用性を向上させつつ識別情報の解読を困難にして特定の記録媒体を確実に識別することができ、特定の記録媒体に対してのみ特定の処理を実行することができる。
【００５１】
なお、上記実施例では、制御手段１４が、画像データの読み取り、家電機器用データの生成又は画像データの書き込みのいずれかの処理の制御を行う構成としたが、制御手段１４は記録媒体９に書き込まれる画像データに関する処理を制御すればよく、上記以外の処理、例えば、画像データの編集や所定の画面の表示などの制御を行う構成としてもよい。また、上記実施例では、識別情報として２種類の情報を用いる場合について説明したが、本発明は上記実施例に限定されるものではなく、各々異なるコードに記述された３種類以上の情報を用いる構成としてもよい。また、記録媒体９に記録されるデータは画像データに限らず、音楽データなどの他の種類のデータとしてもよく、その場合も同様に適用することができる。
【図面の簡単な説明】
【００５２】
【図１】本発明の一実施例に係る制御装置の構成を模式的に示す図である。
【図２】本発明の一実施例に係る制御装置の他の構成を示す図である。
【図３】本発明の一実施例に係る制御装置の他の構成を示す図である。
【図４】本発明の一実施例に係る制御装置の他の構成を示す図である。
【図５】本発明の一実施例に係る制御装置の他の構成を示す図である。
【図６】本発明の一実施例に係る制御装置の他の構成を示す図である。
【図７】本発明の一実施例に係る制御装置の構成を示すブロック図である。
【図８】本発明の一実施例に係る制御装置を用いた画像データの記録手順を示すフローチャート図である。
【図９】本発明の一実施例に係る制御装置を用いた画像データの他の記録手順を示すフローチャート図である。
【図１０】本発明の一実施例に係る制御装置を用いた画像データの他の記録手順を示すフローチャート図である。
【図１１】本発明の一実施例に係る制御装置の表示手段に表示される画面構成例を示す図である。
【図１２】本発明の一実施例に係る記録媒体におけるデータの記録構造を示す図である。
【図１３】本発明の一実施例に係る記録媒体におけるデータの記録領域を模式的に示す図である。
【図１４】記録媒体（ＣＤ−Ｒ）の構造を模式的に示す図である。
【符号の説明】
【００５３】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１１  通信ネットワーク
１２  サーバ
１３  記録媒体識別手段
１４  制御手段
１５  データ読み取り手段
１６  データ生成手段
１７  データ書き込み手段
１８  画像選択画面
１９  一覧表示欄
２０  拡大表示欄
２１  作業メニュー欄
１００  ポリカーボネート基板
１０１  有機色素層
１０２  反射層
１０３  保護層
【図１】
2006107610.tif 000003
【図２】
2006107610.tif 000004
【図３】
2006107610.tif 000005
【図４】
2006107610.tif 000006
【図５】
2006107610.tif 000007
【図６】
2006107610.tif 000008
【図７】
2006107610.tif 000009
【図８】
2006107610.tif 000010
【図９】
2006107610.tif 000011
【図１０】
2006107610.tif 000012
【図１１】
2006107610.tif 000013
【図１２】
2006107610.tif 000014
【図１３】
2006107610.tif 000015
【図１４】
2006107610.tif 000016